(57)【要約】  エレベータシステムにおいて、セキュリティゲートは、ゲート筐体と、開閉部材と、利用者の識別情報を入力する入力部と、表示部と、エレベータ群管理装置に接続されているゲート制御部とを有している。ゲート制御部は、入力部に入力された識別情報に応じて、開閉部材の開閉を制御するとともに、表示部にエレベータの号機情報を表示させる。表示部は、ゲート筐体の通路側の側面に設けられており、かつ、表示画面がセキュリティゲートの入口側を向くように利用者の通行方向に対して傾斜して配置されている。
2011048651.tif 000002
【特許請求の範囲】
【請求項１】
共通のエレベータ乗場から利用可能な複数のエレベータ、
前記エレベータの運行を制御するエレベータ群管理装置、及び
前記エレベータ乗場への通路の側部に立設されているゲート筐体と、前記ゲート筐体に設けられ、前記通路を開閉する開閉部材と、前記ゲート筐体に設けられ、利用者の識別情報を入力する入力部と、前記ゲート筐体に設けられている表示部と、前記エレベータ群管理装置に接続され、前記入力部に入力された識別情報に応じて、前記開閉部材の開閉を制御するとともに、前記表示部に前記エレベータの号機情報を表示させるゲート制御部とを有するセキュリティゲート
を備え、
前記表示部は、前記ゲート筐体の前記通路側の側面に設けられており、かつ、表示画面が前記セキュリティゲートの入口側を向くように利用者の通行方向に対して傾斜して配置されているエレベータシステム。
【請求項２】
前記ゲート筐体の前記通路側の側面には凹部が設けられており、
前記表示部は、前記表示画面が凹部内に臨むように配置されている請求項１記載のエレベータシステム。
【請求項３】
前記ゲート制御部は、前記表示部に号機情報を表示させてから前記開閉部材を開く請求項１記載のエレベータシステム。
【請求項４】
前記表示部は、固有の視野角を有しており、
前記表示部の一端部は、前記開閉部材の近傍に配置されており、
前記表示部の他端部は、前記ゲート筐体の外側部に配置されており、
前記セキュリティゲート内の前記通路の前記開閉部材よりも上流である導入歩行部と前記視野角の内側の領域とが重なる、
請求項１から請求項３までのいずれか１項に記載のエレベータシステム。
【発明の詳細な説明】
【技術分野】
【０００１】
この発明は、セキュリティゲートでの個人認証とエレベータ群管理装置によるエレベータ制御とが関連付けられているエレベータシステムに関するものである。
【背景技術】
【０００２】
従来の自動改札機では、筐体の上面に、床面と平行又はほぼ平行に表示画面が設けられている（例えば、特許文献１参照）。
【先行技術文献】
【特許文献】
【０００３】
【特許文献１】特開２００４−７０５４９号公報
【発明の概要】
【発明が解決しようとする課題】
【０００４】
近年、セキュリティゲートでの個人認証結果に基づいてエレベータの割当を行うエレベータシステムが提案されているが、このようなエレベータシステムのセキュリティゲートに上記のような従来の自動改札機を適用した場合、利用者は、開閉部材が開くのを目視確認すると、そのままセキュリティゲートを通過してしまい、表示画面を見落とす可能性が高い。このように表示画面を見落としてしまうと、個人認証とエレベータの割当とを関連付けしているにも拘わらず、割り当てられたエレベータがわからなくなってしまう。また、表示画面を見落とした利用者が割当とは異なるエレベータを利用しようとすることにより、エレベータシステム全体の運行効率が低下する可能性がある。さらに、セキュリティゲートの筐体が比較的高い場合、上面に表示画面を設けると、表示画面が見にくくなるため、表示画面を見落とす可能性がさらに高くなるとともに、利用者が立ち止まって通行がスムーズでなくなる可能性もある。【０００５】
この発明は、上記のような課題を解決するためになされたものであり、号機情報の見落としを低減し、複数のエレベータを効率的に運行させることができるエレベータシステムを得ることを目的とする。
【課題を解決するための手段】
【０００６】
この発明に係るエレベータシステムは、共通のエレベータ乗場から利用可能な複数のエレベータ、エレベータの運行を制御するエレベータ群管理装置、及びエレベータ乗場への通路の側部に立設されているゲート筐体と、ゲート筐体に設けられ、通路を開閉する開閉部材と、ゲート筐体に設けられ、利用者の識別情報を入力する入力部と、ゲート筐体に設けられている表示部と、エレベータ群管理装置に接続され、入力部に入力された識別情報に応じて、開閉部材の開閉を制御するとともに、表示部にエレベータの号機情報を表示させるゲート制御部とを有するセキュリティゲートを備え、表示部は、ゲート筐体の通路側の側面に設けられており、かつ、表示画面がセキュリティゲートの入口側を向くように利用者の通行方向に対して傾斜して配置されている。
【発明の効果】
【０００７】
この発明のエレベータシステムは、表示部をゲート筐体の通路側の側面に傾斜させて設けたので、セキュリティゲートを通過しようとする利用者から見て、号機情報の見落としを低減し、複数のエレベータを効率的に運行させることができる。
【図面の簡単な説明】
【０００８】
【図１】この発明の実施の形態１によるエレベータシステムを一部ブロックで示す構成図である。
【図２】図１の第１のゲート筐体を示す斜視図である。
【図３】図１のセキュリティゲートを示す平面図である。
【図４】図１のセキュリティゲートを示す正面図である。
【図５】図４のセキュリティゲートを示す右側面図である。
【図６】図１のカードリーダにＩＤカードが近づけられた際のゲート制御部の動作を示すフローチャートである。
【図７】この発明の実施の形態２によるセキュリティゲートの要部を示す平面図である。
【発明を実施するための形態】
【０００９】
以下、この発明を実施するための形態について、図面を参照して説明する。
実施の形態１．
図１はこの発明の実施の形態１によるエレベータシステムを一部ブロックで示す構成図である。図において、第１ないし第４のエレベータ１ａ〜１ｄは、共通のエレベータ乗場２から利用可能となっている。第１のエレベータ１ａ（Ａ号機）は、第１のかご３ａと、第１のかご３ａの昇降を制御する第１のエレベータ各台管理装置４ａとを有している。第２のエレベータ１ｂ（Ｂ号機）は、第２のかご３ｂと、第２のかご３ｂの昇降を制御する第２のエレベータ各台管理装置４ｂとを有している。第３のエレベータ１ｃ（Ｃ号機）は、第３のかご３ｃと、第３のかご３ｃの昇降を制御する第３のエレベータ各台管理装置４ｃとを有している。第４のエレベータ１ｄ（Ｄ号機）は、第４のかご３ｄと、第４のかご３ｄの昇降を制御する第４のエレベータ各台管理装置４ｄとを有している。
【００１０】
エレベータ各台管理装置４ａ〜４ｄは、エレベータ群管理装置５により制御される。即ち、エレベータ１ａ〜１ｄの運行は、エレベータ群管理装置５により群管理される。
【００１１】
エレベータ乗場２への通路６には、エレベータ乗場２への利用者の進入を許可・禁止するセキュリティゲート７が設けられている。セキュリティゲート７は、第１のゲート筐体８、第２のゲート筐体９、第１の開閉部材１０、第２の開閉部材１１（図３）、入力部としてのカードリーダ１２、表示部１３、及びゲート制御部１４を有している。
【００１２】
第１及び第２のゲート筐体８，９は、通路６の両側に立設されている。第１及び第２の開閉部材（フラッパ）１０，１１は、鉛直な軸を中心として回動可能にゲート筐体８，９に設けられており、通路６を開閉する。
【００１３】
カードリーダ１２及び表示部１３は、第１のゲート筐体８に設けられている。利用者が携帯するＩＤカード（非接触カード）に記憶された識別情報は、カードリーダ１２から入力される。表示部１３としては、例えば液晶ディスプレイ又はＬＥＤ表示装置等が用いられる。
【００１４】
ゲート制御部１４は、第１のゲート筐体８内に設けられている。また、ゲート制御部１４は、エレベータ群管理装置５に接続されている。さらに、ゲート制御部１４は、認証部１５及び表示制御部１６を有している。
【００１５】
認証部１５は、カードリーダ１２に入力された識別情報に応じて個人認証を行い、認証結果に基づいて開閉部材１０，１１の開閉を制御する。ゲート制御部１４は、識別情報に含まれる行先階情報をエレベータ群管理装置５に送信する。エレベータ群管理装置５は、ゲート制御部１４からの行先階情報に応じてエレベータ１ａ〜１ｄのいずれかを選択して割り当て、割り当てたエレベータ１ａ〜１ｄの号機情報をゲート制御部１４に送信する。表示制御部１６は、号機情報を表示部１３に表示させる。
【００１６】
エレベータ各台管理装置４ａ〜４ｄ、エレベータ群管理装置５、及びゲート制御部１４は、それぞれマイクロコンピュータを有している。ゲート制御部１４の機能は、マイクロコンピュータにより実現される。
【００１７】
図２は図１の第１のゲート筐体８を示す斜視図、図３は図１のセキュリティゲート７を示す平面図、図４は図１のセキュリティゲート７を示す正面図、図５は図４のセキュリティゲート７を示す右側面図である。カードリーダ１２及び表示部１３は、第１のゲート筐体８の通路６側の側面に設けられている。また、カードリーダ１２は、セキュリティゲート７の入口側端部に配置されている。
【００１８】
さらに、カードリーダ１２の表面（入力面）は、セキュリティゲート７の設置面（床面）に対して鉛直であり、かつセキュリティゲート７の入口側を向くように利用者の通行方向に対して傾斜されている。
【００１９】
表示部１３は、利用者の通行方向について、第１のゲート筐体８の中間部で第１の開閉部材１０とほぼ同じ位置に設けられている。即ち、表示部１３は、第１の開閉部材１０のほぼ真上に配置されている。また、表示部１３は、カードリーダ１２と同じ高さに配置されている。さらに、表示部１３の表示画面は、セキュリティゲート７の設置面（床面）に対して鉛直であり、かつセキュリティゲート７の入口側を向くように利用者の通行方向に対して傾斜されている。
【００２０】
第１のゲート筐体８の通路６側の側面には、真上から見て三角形状の凹部８ａが設けられている。表示部１３は、凹部８ａ内に臨むように配置されている。凹部８ａは、通路６の下流側に位置する第１の壁面８ｂと、上流側に位置する第２の壁面８ｃとを有している。表示部１３は、表示画面が凹部８ａ内に露出するように第１の壁面８ｂに埋設されている。第２の壁面８ｃは、第１の壁面８ｂに対して鈍角をなしている。
【００２１】
また、図３に示すように、セキュリティゲート７を真上から見たとき、表示部１３の表示画面の中心から表示画面に対して垂直に延びる直線（１点鎖線Ｌ１）は、通路６の開閉部材１０，１１よりも上流の領域と交差している。
【００２２】
さらに、セキュリティゲート７を真上から見たとき、第２の壁面８ｃは、表示部１３の幅方向一端部（第２の壁面８ｃ側の端部）とセキュリティゲート７の入口の中心とを結ぶ直線（２点鎖線Ｌ２）よりも外側に位置している。
【００２３】
図６は図１のカードリーダ１２にＩＤカードが近づけられた際のゲート制御部１４の動作を示すフローチャートである。利用者がカードリーダ１２にＩＤカードを近づけると、認証部１５は、ＩＤカード内に登録された識別情報を取得し、予め登録されたデータと比較し、そのＩＤカードを携帯した利用者が通行を許可されているかどうかを確認する。即ち、識別情報の照合結果がＯＫであるかを確認する（ステップＳ１）。そして、照合結果がＮＯである場合、開閉部材１０，１１は閉じたままとする（ステップＳ２）。
【００２４】
照合結果がＯＫであれば、ゲート制御部１４は、ＩＤカード内に有効な行先階（例えば利用者の居住階又はオフィス階等）が登録されているかどうかを確認する（ステップＳ３）。有効な行先階が登録されている場合、行先階情報をエレベータ群管理装置５に送信する（ステップＳ４）。
【００２５】
これにより、エレベータ群管理装置５は、セキュリティゲート７の設置階から行先階情報に含まれる行先階まで移動する利用者に対する割当号機を決定し、割当号機を乗車階に配車するとともに、割当号機の号機名の情報を号機情報としてゲート制御部１４に送信する。
【００２６】
表示制御部１６は、エレベータ群管理装置５から号機情報を受信すると（ステップＳ５）、号機情報を表示部１３に表示させ（ステップＳ６）、開閉部材１０，１１を開く（ステップＳ７）。この後、利用者がセキュリティゲート７を通過したことが通過センサ（図示せず）により検出されると、ゲート制御部１４は開閉部材１０，１１を閉じる。また、割当号機のかご３ａ，３ｂ，３ｃ又は３ｄに利用者が乗車したことが検出されると、かご３ａ，３ｂ，３ｃ又は３ｄ内の行先階釦が自動登録される。
【００２７】
一方、ＩＤカード内に有効な行先階が登録されていない場合、表示制御部１６は、エレベータ乗場２に設置された乗場操作盤（図示せず）で行先階登録をさせるための指示メッセージ（例えば、「乗場で行先階釦を押して下さい」等）を表示部１３に表示させ（ステップＳ８）、開閉部材１０，１１を開く（ステップＳ７）。この後、利用者がセキュリティゲート７を通過したことが通過センサにより検出されると、ゲート制御部１４は開閉部材１０，１１を閉じる。
【００２８】
利用者が乗場操作盤で行先階釦を押すと、エレベータ群管理装置５は、割当号機を決定し、割当号機を乗車階に配車するとともに、割当号機の号機名の情報を乗場操作盤の表示部に表示させる。この後、割当号機のかご３ａ，３ｂ，３ｃ又は３ｄに利用者が乗車したことが検出されると、かご３ａ，３ｂ，３ｃ又は３ｄ内の行先階釦が自動登録される。
【００２９】
このようなエレベータシステムでは、表示部１３をゲート筐体８の通路６に面する側面に傾斜させて設けたので、セキュリティゲート７を通過しようとする利用者から見て、開閉部材１０，１１に近い位置に表示部１３を配置することができ、これにより、号機情報の見落としを低減し、エレベータ１ａ〜１ｄを効率的に運行させることができる。
【００３０】
また、ゲート筐体８の高さが比較的高い場合であっても、ゲート筐体８の上面に表示部１３を設ける場合に比べて、表示部１３を視認し易くすることができる。
さらに、ゲート筐体８の幅寸法が小さい場合であっても、ゲート筐体８の上面に表示部１３を設ける場合に比べて、表示画面を大きく確保することができ、表示部１３を視認し易くすることができる。
【００３１】
ここで、駅に設けられた自動改札機等においては、利用者が表示情報を必ずしも確認する必要がないが、実施の形態１のエレベータシステムでは、利用者が号機情報を確認しないとエレベータ１ａ〜１ｄを効率的に運行することができない。従って、セキュリティゲート７を通過する際に号機情報をより確実に確認させることは非常に重要である。
【００３２】
これに対して、実施の形態１のエレベータシステムでは、号機情報の表示直後に開閉部材１０，１１を開いても、利用者は通路６を通行しながら開閉部材１０，１１の状態と号機情報とをほぼ同じ方向に確認することができる。従って、利用者はセキュリティゲート７を円滑に通過することができ、利用者１人当たりの処理時間を短縮できるとともに、単位時間当たりの処理人数を多くすることができる。
【００３３】
例えば、号機情報の表示を行ってから暫くして開閉部材１０，１１を開いてもよい。これにより、利用者が表示部１３の号機情報を確認できる時間がやや長くなる。従って、利用者が開閉部材１０，１１を通過する際における号機情報の見落としをより防止できる。
【００３４】
また、ゲート筐体８の側面に凹部８ａを設け、凹部８ａ内に臨むように表示部１３を配置したので、表示部１３を傾斜配置しても、表示部１３が通路６に突出することがなく、通行の妨げになることがない。また、セキュリティゲート７の入口付近からの表示部１３の視認性も確保できる。さらに、十分な強度で表示部１３を保持することができる。
【００３５】
実施の形態２．
次に、図７はこの発明の実施の形態２によるセキュリティゲートの要部を示す平面図である。図において、カードリーダ１２は、セキュリティゲートの入口部（ゲート筐体８の上流側端部）に設けられている。表示部１３は、固有の視野角θ１を有しており、開閉部材（フラッパ）１０の近傍に設けられている。凹部（切欠部）８ａは、セキュリティゲートの入口部内側端部から表示部１３の奥部までゲート筐体８を切り欠いて形成されている。
【００３６】
また、表示部１３の幅方向一端部は、開閉部材１０の近傍に配置されている。表示部１３の幅方向他端部は、ゲート筐体８の外側部に配置されている。さらに、導入歩行部（通路６の開閉部材１０よりも上流側の領域）と視野角θ１とは重なっている。言い換えると、図７に示すようにセキュリティゲートを真上から見たとき、表示部１３の表示が正常に見える範囲（図７のθ１の内側の領域）は、導入歩行部に重なっている。他の構成は、実施の形態１と同様である。
【００３７】
このようなセキュリティゲートによれば、表示部１３の一端部が開閉部材１０の近傍に配置され、表示部１３の他端部がセキュリティゲートの外側部に配置され、導入歩行部と視野角θ１内の領域とが重なっているので、表示部１３の表示情報の見落としを低減できる。
【００３８】
なお、実施の形態１のセキュリティゲート７についても、表示部１３の一端部が開閉部材１０の近傍に配置され、表示部１３の他端部がセキュリティゲートの外側部に配置され、表示部１３の視野角の内側の領域は導入歩行部に重なっている。従って、実施の形態１のセキュリティゲート７によっても、実施の形態２と同様の効果を得ることができる。
【００３９】
また、入力部はカードリーダ１２に限定されるものではなく、例えば、カード以外の物（例えば携帯電話等）に記憶された識別情報を読み取る装置、暗証番号の入力装置、又はバイオメトリクス認証装置等であってもよい。
さらに、開閉部材１０，１１は、鉛直な軸を中心に回動されるタイプに限定されず、例えばスライドドア等であってもよい。
【００４０】
さらにまた、ゲート制御部１４はゲート筐体８外に設けてもよく、エレベータ群管理装置５の近傍やエレベータ群管理装置５内に設けることもできる。
また、ゲート制御部１４の機能を複数の装置に分割して実行させてもよい。
【００４１】
さらに、表示部１３は、利用者の通行方向について、開閉部材１０，１１よりも下流側や上流側に設けてもよい。
さらにまた、表示部１３は、第２のゲート筐体９に設けたり、第１及び第２のゲート筐体８，９の両方に設けたりしてもよい。
【００４２】
また、実施の形態１、２において、鉛直な軸を中心として表示部１３を回動可能とし、表示部１３の角度を調整できるようにしてもよい。
さらに、実施の形態１、２において、水平な軸を中心として表示部１３を回動可能とし、表示部１３の仰俯角を調整できるようにしてもよい。
さらにまた、凹部８ａの平面形状は三角形に限定されるものではなく、例えば、第１及び第２の壁面８ｂ，８ｃ間を曲面で繋いだ形状、又は台形等であってもよい。
【図１】
2011048651.tif 000003
【図２】
2011048651.tif 000004
【図３】
2011048651.tif 000005
【図４】
2011048651.tif 000006
【図５】
2011048651.tif 000007
【図６】
2011048651.tif 000008
【図７】
2011048651.tif 000009
【国際調査報告】
2011048651.tif 000010
2011048651.tif 000011
2011048651.tif 000012
2011048651.tif 000013